(57)【要約】【課題】浄水濾過機能しか得られない従来の温水器の不便を解消して、浄水機能はもとより、トルマリン粒とセラミック焼成球による湯水の浄化及び除菌、消臭効果を得られる循環型の浄化温水器を提供する。【解決手段】両端が開口した容器１の中ほどにセラミックヒーター７を位置した容器１の一端にポンプ３を有する送水管２を、他方端部に吐水管４を取り付けた容器１における前記送水管２寄りの開口部に、濾過材となるスポンジ１８や麻１９、シュロ２０などによる濾過体２１を納め、他方、吐水管４側にはトルマリン粒１４やセラミック焼成球１５から成るを浄化体１６を納めた容器１の両開口部を、別体の蓋１０で密閉して成る循環型の浄化温水器２２を構成する。【選択図】　図１
2004020175.tif 000002
【特許請求の範囲】
【請求項１】
両端が開口した容器を水平位置にした一方側端部にポンプを有する送水管を取り付け、他方端部に吐水管を取り付けて成る容器の内側中ほど部位にセラミックヒーターを位置した容器の外面に操作盤を設け、該操作盤、ポンプ、セラミックヒーターそれぞれを電気コードで接続して成る前記容体の一方開口側より、浄化素材を網容体に封入した浄化体を納め、他方開口部には、濾過素材を網容体に封入した濾過体を納めて成る両開口部を蓋で密閉して成る構成を特徴とする循環型浄化温水器。
【請求項２】
網容体に納められる浄化素材がトルマリン粒とセラミック焼成球で成る浄化体で構成される請求項１に記載する循環型浄化温水器。
【請求項３】
網容体に納められる濾過体の素材がスポンジ、麻、シュロで成る濾過体で構成される請求項１に記載する循環型浄化温水器。
【請求項４】
網容体に納められる浄化体が、別体の網皿と組み合わされて成る請求項１又は請求項２に記載する循環型浄化温水器。
【請求項５】
網容体に納められる濾過体が、別体の筒ケースと組み合わされて成る請求項１又は請求項３に記載する循環型浄化温水器。
【請求項６】
容体の外周部に、取り付け部材となる吸盤を設けて成る請求項１〜請求項５のいずれか一つの項に記載する循環型浄化温水器。
【発明の詳細な説明】
【０００１】
【発明の属する技術分野】
本発明は湯水の浄水濾過はもとより、トルマリン鉱物とセラミック焼成球による浄化及び除菌、消臭効果を得られる循環型の浄化温水器に関する。
【０００２】
【従来の技術】
従来より、入浴に用いる温水としては、電気又はガス方式により水を温める温水器や給湯器などが提供されており、またその中には、浴槽の湯を循環方式にすることで湯水の節約とともに、汚れの濾過を行って常時きれいな湯水を供給できる２４時間タイプの循環温水器等も提供されている。
【０００３】
また、それらの温水器の形態においては、屋外に位置した専用の大型給湯器に接続された蛇口より取り入れる台所で使う温水と共有するタイプや、浴室内に設置した温水器に水道管を接続して供給するものなど施工一体型タイプなどの温水器が提供されている。
【０００４】
さらに循環型の温水器は、濾過装置など組み込んだ温水器を既存の浴室内に設置して、ポンプで浴槽の湯水を前記温水器内に送水して、濾過及び温めたうえで再び吐水管より浴槽内に供給循環することで、湯水の濾過循環はもとより常時入浴できる湯水を供給し、かつ水の節約も可能な浴室内設置型の温水器なども提供されている。
【０００５】
【発明が解決しようとする課題】
以上のような温水器の技術があり、それぞれ必要とする湯水を速やかに給湯したり、汚れの濾過なども行うことができる温水器である。しかし、それらは温かい湯水を供給すると言う一定の目的は果たしてはいるが、次に示すような点に関して不便や欠点があった。
【０００６】
まず、屋外に大型の給湯器を置き蛇口より湯水を供給するタイプは、配置するスペースや浴槽も含めて大掛かりとなるのでコスト高であり、またこのタイプは単に熱い湯を供給するだけの温水器であるため、浴槽の湯の汚れなどは別途の方法で除去するしかなく、設置工事のことと合わせて既存の浴室に簡単に備えて使える温水器と言えなかった。
【０００７】
さらに浴槽の湯水を循環するいわゆる２４時間風呂は、湯水の節約はもとより、濾過機能による汚れ除去などができ、いつでも好きな時入浴できると言うことで一時期大変なブームであった。しかし湯水を濾過しかつ水の節約と言う利点があっても、同じ湯水を繰り返し循環する方式であるため、いわゆる雑菌の繁殖を促す環境でもあるため、一定の条件が揃うとジオレマ菌をはじめとする雑菌を発生させ、最悪の場合は感染による死者が出るなど一時はメディアでも取り上げられて問題が多かった。最近は改良されてはいるが、体力の弱い幼児や高齢者が安心して使える、除菌機能を備えた温水器も提供されつつあるが、それらは特殊な技術を採用しているので高価になるなどの欠点がある。加えて循環タイプはいずれも適宜に濾過材の洗浄もしくは取り替えが必要であるが、構造的にユーザーが気軽に濾過材の洗浄や交換を行えないなど、設置スペースの点とともに取り扱いやメンテナンスの面でも扱いにくいなどの不便や面倒があった。
【０００８】
【課題を解決するための手段】
本発明は以上のような従来の温水器が持つ欠点や不便を解消するために、次のような構成とする。まず、温水器は既存の浴室内に簡易に設置でき、かつ湯の温めや濾過浄水はもとより、湯水の浄化も可能な温水器とするために、両端が開口した容器の中ほどにセラミックヒーターを位置し、その容器の一方端部に、ポンプを有する送水管を、他方端部に吐水管を取り付けて成る容器の送水管寄りにスポンジや麻、シュロなどによる濾過体を納め、他方、吐水管側にはトルマリン粒やセラミック焼成球（遠赤外線焼成球とも称す）から成る浄化体を納めたうえで、容器の両開口部を蓋で密閉して成るシンプルで簡易な温水器を構成する。
【０００９】
以上のような温水器を構成することにより、湯水の循環による節水及び濾過浄水効果と合わせて、トルマリン粒によるマイナスイオン及び微弱電流の発生による湯水の水質改善、浄化及び消臭、除菌効果に加えて、セラミック焼成球による遠赤外線発生と殺菌効果の相乗効果を合わせもつ湯水を常時得られる循環型の浄化温水器を提供する。
【００１０】
【発明の実施の形態】
この発明における浄化温水器２２は、両側が開口した容器１の中ほどにセラミックヒーター７を有し、かつ一方端部にポンプ３付き送水菅２を設け、他方には吐水菅４を取り付けて成る前記容体１の吐出管４側に、トルマリン粒１４とセラミック焼成球１５で成る浄化体１６を納め、他方にはスポンジ１８、麻１９、シュロ２０による濾過体２１を納めたシンプルな構成とともに、容器１背面に設けた吸盤１１で容易に壁面に取り付けられる循環型の浄化温水器２２を構成する。
【００１１】
以上のような浄化温水器２２を作動させると、図４に示すように、まずポンプ３で吸入された浴槽の湯水は、濾過体２１で垢や油分などの汚れ物質を除去したきれいな湯水となり、さらにその後は、トルマリン粒１４とセラミック焼成球１５から成る浄化体１６を通過することにより、トルマリン粒１４の特性によるマイナスイオンや微弱電流の発生と除菌、消臭作用を得るとともに、セラミック焼成球１５による遠赤外線効果と強力な殺菌作用も合わせた相乗効果を得た湯水を吐出菅４より浴槽に戻して循環されるので、汚れの濾過はもとより除菌された清潔な湯水を常時供給できる。
【００１２】
加えて身体に様々な点で良いと立証されているマイナスイオン及び微弱電流、遠赤外線の発生効果によるツボ指圧効果に加え、水クラスターを小さくする、弱アルカリ化、ミネラル化、界面活性化等による美肌効果や浴槽の汚れ防止など様々な効用に加えて、二つの物質による強力な殺菌作用を得た安全な湯水の供給とともに、構造的にも濾過材や浄化材の洗浄や取り替えも簡易に行え、かつスペースも取らず安価に提供できる循環型の浄化温水器２２を可能とする。
【００１３】
【実施例】
本発明による浄化温水器の実施例を図１に示す分解斜視図と図２の容器に納める浄化体を示す一部欠損した分解斜視図及び図３の容器に納める濾過体を示す一部欠損した分解斜視図及び図４に示す本体縦断面図、図５の蓋部を示す要部拡大斜視図を参照しながら説明する。
【００１４】
まず、金属のステンレス素材により、長さ約３００ミリで太さ約９０ミリ程度の円筒状の容器１を水平に位置した一方端部に、自在に曲がる一定の長さの送水管２端部にポンプ３を備えた送水管２を取り付け、さらに他方端部には、同様に自在に曲がる吐水管４を取り付けた容器１の中ほど部位に、電気コード５の配線が、温度調節機構を有する操作盤６及び前記ポンプ３とともに接続したセラミックヒーター７を位置させて成る容器１の両端部に、掛留め具８を三か所に設けた開口部に、同位置に掛け輪９を付けた蓋１０を組み合わせて成る容体１の背面側に、取り付け部材となる吸盤１１を複数個設けた容器１を形成する。
【００１５】
さらに、以上のように形成した容器１の一方吐水管４側から、ステンレス素材による網目の大きい半円状の網皿１２に、細かい網目で成る円筒状の網容体１３内に、天然鉱物で電気石とも呼ばれ、かつマイナスイオンや微弱電流を発生するトルマリン粒１４を封入したもの二つを左右に、中ほどには同様の網容体１３に遠赤外線を発生するセラミック焼成球１５を封入したものを、図２のように網皿１２に納めて成る浄化体１６を前記容体１の吐水管４側より納め、さらに他方側からは、ステンレス素材による筒ケース１７に、前記同様の網目の細かい網容体１３に、濾過材とするスポンジ１８、麻１９、シュロ２０、スポンジ１８それぞれを単独に封入したものを順に、前記筒ケース１７内に納めた濾過体２１を容器１内に納めた後に両端部を蓋１１をしたうえで、掛け輪９と掛け留め具８をもって密閉して成る循環型の浄化温水器２２を構成する。
【００１６】
本発明による浄化温水器２２は以上のような構成であるが、実施例における網皿１２及び網容体１３の素材はステンレス素材が最も好ましいが、他の金属素材でも差し支えない。また濾過体２１を形成する筒ケース１７は板材がよいが、目の細かい網筒を採用しても構わない。加えて濾過材の一つとしてシュロ２０を用いているが、網目が細かい網容体の場合は粗砂を用いてもよいし、また他の濾過材を採用しても差し支えない。さらに本発明における循環型の浄化温水器２２には、取り付け部材として容器１の背面に吸盤１１を備えた構成であるが、別途に形成される他の取り付け部材を組み合わせてもよいものであり、いずれも特に限定するものではない。
【００１７】
【発明の効果】
本発明による循環型の浄化温水器は以上のような構成であるので、従来と比べて次に示すような長所や効果を提供する。
本発明における温水器は、適度な大きさの筒状の容器内にセラミックヒーターを位置した一方側にポンプを有する送水管を設け、その開口内にスポンジ、麻、シュロで成る濾過材を納め、他方の吐水管側には、マイナスイオンや微弱電流を発生するトルマリン粒と、遠赤外線を発生するセラミック焼成球から成る浄化材をそれぞれ納めて成る循環型の浄化温水器であるので、極めてコンパクトにして簡易な構成の浄化温水器であり、また濾過材や浄化材の洗浄や交換に際しても、ユーザーが容易に行え、設置する場合も場所を取らず狭いスペースでも有効に使える安価にして機能的な循環型の浄化温水器を提供する。
【００１８】
さらに湯水の濾過や循環はもとより、身体に様々な効用をもたらすトルマリンやセラミック焼成球による浄化素材を組み込んでいるので、マイナスイオンや微弱電流、遠赤外線等の発生を得ることで、ツボ指圧効果をはじめ、水クラスターの微小化、弱アルカリ化、ミネラル化による美肌効果、高浸透力による血行促進、老廃物の排出効果に加えて浴槽の汚れ防止、除菌や消臭効果も得られるきわめて身体に有効な湯水を連続して供給することができる、健康の促進と衛生面に大きく貢献することができる循環型の浄化温水器である。
【図面の簡単な説明】
【図１】本発明の浄化温水器の実施例を示す一部省略した分解斜視図。
【図２】浄化温水器の浄化部を示す一部欠損した分解斜視図。
【図３】浄化温水器の濾過部を示す一部欠損した分解斜視図。
【図４】浄化温水器を示す本体要部の縦断面図。
【図５】浄化温水器の蓋部を示す要部拡大斜視図。
【符号の説明】
１・・・容器
２・・・送水管
３・・・ポンプ
４・・・吐水管
５・・・電気コード
６・・・操作盤
７・・・セラミックヒーター
８・・・掛止め具
９・・・掛け輪
１０・・蓋
１１・・吸盤
１２・・網皿
１３・・網容体
１４・・トルマリン粒
１５・・セラミック焼成球
１６・・浄化体
１７・・筒ケース
１８・・スポンジ
１９・・麻
２０・・シュロ
２１・・濾過体
２２・・浄化温水器
【図１】
2004020175.tif 000003
【図２】
2004020175.tif 000004
【図３】
2004020175.tif 000005
【図４】
2004020175.tif 000006
【図５】
2004020175.tif 000007